(57)【要約】【課題】  芝生の刈高さをハンドル部で容易に変更して芝刈作業に要する労力を軽減することができる手動式芝刈機を提供すること。【解決手段】  芝刈機本体２の左右位置に設けた車輪４と、車輪４間の横方向に配置した回転刃６と、芝刈機本体２に設けて回転刃６との間で芝生を刈る固定刃１３と、芝刈機本体２に前部が軸支された昇降アーム１１の後部に設けられた後部ローラ１２と、後部ローラ１２の高さを調整することで固定刃１３と回転刃６とによる芝生の刈高さを調整する刈高さ調整機構２０と、芝刈機本体２に設けたハンドル１０とを備え、刈高さ調整機構２０は、昇降アーム１１の後部を揺動させて後部ローラ１２の高さ位置を変更する昇降誘導板２３を有し、ハンドル１０は、昇降誘導板２３を操作ケーブル２７で回転させて昇降アーム１１によって後部ローラ１２の高さを調整する操作レバー部４０を有している。【選択図】  図２
2014128218.tif 000002
【特許請求の範囲】
【請求項１】
芝刈機本体の左右位置に設けた車輪と、
前記車輪間の横方向に配置した回転刃と、
前記芝刈機本体に設けて前記回転刃との間で芝を刈る固定刃と、
前記芝刈機本体に前部が軸支された昇降アームの後部に設けられた後部ローラと、
前記後部ローラの高さを調整することで前記固定刃と回転刃とによる芝生の刈高さを調整する刈高さ調整機構と、
前記芝刈機本体に設けたハンドルと、を備え、
前記刈高さ調整機構は、前記昇降アームの後部を揺動させて前記後部ローラの高さ位置を変更する昇降誘導板を有し、
前記ハンドルは、前記昇降誘導板を操作部材で回転させて前記昇降アームによって前記後部ローラの高さを調整する操作レバー部を有していることを特徴とする手動式芝刈機。
【請求項２】
前記刈高さ調整機構は、前記芝刈機本体に誘導板支持軸で上部が軸支された前記昇降誘導板と、前記昇降アームに設けられた昇降誘導軸と、前記昇降誘導板に形成されて前記昇降誘導軸が係合して前記後部ローラの高さ位置を変更する誘導溝と、を有し、
前記ハンドルは、前記昇降誘導板を回転させて前記誘導溝に係合する前記昇降誘導軸の位置を変更することによって前記後部ローラの高さを変更する前記操作レバー部を有している請求項１に記載の手動式芝刈機。
【請求項３】
前記誘導溝は、前記昇降誘導板の誘導板支持軸から前記昇降誘導軸までの距離を所定距離に保つ複数の設定部を有し、
前記設定部は、前記誘導板支持軸の中心からの距離が一方から順に遠くなるように設定されている請求項１に記載の手動式芝刈機。
【請求項４】
前記設定部は、前記誘導板支持軸の中心から延長した直線に対して直交する直線状溝部で形成されている請求項３に記載の手動式芝刈機。
【請求項５】
前記操作部材は、操作ケーブルで構成され、
前記誘導板支持軸は、前記昇降誘導板を回転させる前記操作ケーブルを連結する回転部材を有し、
前記回転部材は、前記操作ケーブルを前記誘導板支持軸を中心とする同心円で案内するケーブル案内部を有している請求項４に記載の手動式芝刈機。
【請求項６】
前記回転部材は、前記操作ケーブルを前記操作レバー部の反対方向に付勢するバネ部材を有し、
前記操作レバー部は、前記誘導溝の設定部に前記昇降誘導軸が位置するときに前記バネ部材の付勢力を支持するレバー係止部を有している請求項５に記載の手動式芝刈機。
【発明の詳細な説明】
【技術分野】
【０００１】
本発明は、家庭や校庭、公園等の芝生を刈るために用いられる手動式芝刈機に関する。
【背景技術】
【０００２】
従来、家庭や校庭、公園等の芝生を刈るために、芝刈機本体の横方向に配置された回転軸の周りで回転する回転刃と、この回転刃と接するように芝刈機本体に設けられた固定刃との間で芝生を刈る手動式芝刈機が用いられている。この手動式芝刈機はリール式芝刈機とも呼ばれ、芝刈機本体の両側部に設けられた車輪の回転力で回転刃を回転させ、固定刃との間で芝生を刈るように構成されている。
【０００３】
図６は、この種の先行技術の一例である手動式芝刈機である。この手動式芝刈機１０１では、作業者が芝刈機本体１０２に設けられたハンドル１１５を持ち、芝生ｍの上で芝刈機本体１０２を前方に押すことで両側部に設けられたタイヤ１０３有する車輪１０４が回転し、この車輪１０４の回転によって回転刃と固定刃との間で刈られた芝生ｍが前部の集草器１１６に集められる（特許文献１参照）。この手動式芝刈機１０１には、芝刈機本体１０２から後方に向けて昇降ガイド１０５が設けられており、この昇降ガイド１０５の後部に設けられた後部ローラ１０６の高さを変更することで刈高さを調整できるようになっている。刈高さの調整は、刈取る芝生の高さ等に応じて調整される。この高さ調整は、ねじ止め方式、切欠きにピンを挿入する方式などがあるが、芝刈時の押し荷重の大小変化にも芝刈高さが変動しないようになっている。
【０００４】
図７は、図６に示す手動式芝刈機における駆動機構と、刈高さを調整する例を示す側面視の断面図であり、(a) は刈高さを高くした状態、(b) は刈高さを低くした状態を示している。
【０００５】
図示するように、芝生ｍを刈る駆動機構としては、上記タイヤ１０３を回転させることにより、このタイヤ１０３の内部に設けられたインターナルギヤ１０７が車輪１０４の内部に設けられたピニオン１０８を回転させ、このピニオン１０８と一体的に回転軸１０９を回転させる。この回転軸１０９は、一体的に固定された回転刃１１０を回転させ、この回転刃１１０が芝刈機本体１０２に設けられた固定刃１１１との間で芝生ｍを刈るようになっている。
【０００６】
そして、この手動式芝刈機１０１には、図７(a),(b) に示す状態のように、上記昇降ガイド１０５の後部に設けられた後部ローラ１０６の高さを変更することで芝生ｍの刈高さＨを調節できるようになっている。この刈高さＨの調整は、作業者が姿勢を低くして、昇降ガイド１０５を支持軸１１２を中心に揺動させ、芝刈機本体１０２に設けられた調整具１１３を昇降ガイド１０５に設けられた調整凹部１１４の所望位置に係止するようになっている。
【先行技術文献】
【特許文献】
【０００７】
【特許文献１】実用新案登録第３１３０８１２号公報
【発明の概要】
【発明が解決しようとする課題】
【０００８】
ところで、上記手動式芝刈機１０１で刈る芝生ｍは、刈取る日数間隔などによって生育が一様でないため、長く伸びた芝生や密集した芝生がある。このような伸びた芝生や密集した芝生の刈取りは、例えば、２〜３回の刈高さ調整を行って刈高さを高い位置から徐々に下げて作業を進めることが望ましい。
【０００９】
一方、芝生ｍを刈る力は、芝刈機１０１を押して車輪１０４で回転刃１１０を回転させる力であり、芝生ｍが長く伸びている箇所や密集している箇所を刈るときには芝刈機１０１を押す荷重（ハンドルを押す荷重）も大きくなり、逆に芝生ｍの生育が悪い箇所や密度が粗い箇所を刈るときには芝刈機１０１を押す荷重が軽くなる。このように、芝刈時の手動式芝刈機１０１を押す荷重は常に変化する傾向にある。このことからも、芝生ｍが長く伸びている場合などには、通常、１回の刈取りで数十ｍｍを刈取り、その後、刈取り高さを段階的に低くしながら複数回（例えば、３回）の刈取り作業で所望の高さまで刈取る必要がある。
【００１０】
しかしながら、上記特許文献１の場合、上記したように刈高さＨを段階的に低くするためには、芝刈作業の立った姿勢から姿勢を低くして、芝刈機本体１０２の後部に設けられた昇降ガイド１０５を揺動させ、後部ローラ１０６が所望の高さとなった位置で調整具１１３を調整凹部１１４に係止する必要があり、身体的な負担があるとともに手間を要して作業効率の低下につながる。
【００１１】
そのため、作業者によっては、長く伸びた芝生や密集した芝生を刈る場合でも、芝生ｍの刈高さを調整しないのが実情であり、一度で長く伸びたり密集した芝生を短く刈取ろうとする場合がある。
【００１２】
しかし、長く伸びた芝生や密集した芝生を一度に短く刈取ろうとすると、手動式芝刈機を押す荷重が大きくなるだけでなく、刈った芝生が固定刃と回転刃との間に噛み込んで回転刃１１０が回らなくなる場合がある。この場合、回転刃１１０と固定刃１１１の間に噛み込んだ芝生を除去した後、刈高さを高くして再度芝刈作業を行わなければならない。そのため、時間と労力を要する。
【００１３】
また、芝生を噛み込まない場合でも、刈ムラ（芝の長短）や、芝生を噛み込んだ状態で無理に刈ろうとして芝生をめくってしまう場合もあり、不良芝刈となる。
【００１４】
さらに、近年、緑化によって植えられた芝生を小学生や高齢者が刈取る場合があり、上記したように姿勢を低くして労力を要する刈高さ調整が難しい場合もある。
【００１５】
そこで、本発明は、芝生の刈高さをハンドル部で容易に変更して芝刈作業に要する労力を軽減することができる手動式芝刈機を提供することを目的とする。
【課題を解決するための手段】
【００１６】
上記目的を達成するために、本発明は、芝刈機本体の左右位置に設けた車輪と、前記車輪間の横方向に配置した回転刃と、前記芝刈機本体に設けて前記回転刃との間で芝を刈る固定刃と、前記芝刈機本体に前部が軸支された昇降アームの後部に設けられた後部ローラと、前記後部ローラの高さを調整することで前記固定刃と回転刃とによる芝生の刈高さを調整する刈高さ調整機構と、前記芝刈機本体に設けたハンドルと、を備え、前記刈高さ調整機構は、前記昇降アームの後部を揺動させて前記後部ローラの高さ位置を変更する昇降誘導板を有し、前記ハンドルは、前記昇降誘導板を操作部材で回転させて前記昇降アームによって前記後部ローラの高さを調整する操作レバー部を有している。
【００１７】
この構成により、ハンドルに設けられた操作レバー部を操作して、操作部材によって昇降誘導板を回転させて昇降アームを揺動させることで後部ローラの高さを変更することができる。この後部ローラの高さを変更することにより、固定刃と回転刃とによる芝生の刈高さを変更することができる。このように、ハンドルに設けられた操作レバー部の操作によって、刈高さを容易に変更することが可能となる。
【００１８】
また、前記刈高さ調整機構は、前記芝刈機本体に誘導板支持軸で上部が軸支された前記昇降誘導板と、前記昇降アームに設けられた昇降誘導軸と、前記昇降誘導板に形成されて前記昇降誘導軸が係合して前記後部ローラの高さ位置を変更する誘導溝と、を有し、前記ハンドルは、前記昇降誘導板を回転させて前記誘導溝に係合する前記昇降誘導軸の位置を変更することによって前記後部ローラの高さを変更する前記操作レバー部を有していてもよい。
【００１９】
この構成により、ハンドルに設けられた操作レバー部を操作して昇降誘導板を回転させることで、この昇降誘導板に設けられた誘導溝に係合する昇降誘導軸の位置を変更でき、この昇降誘導軸の位置を変更することにより、昇降誘導軸が設けられた昇降アームを揺動させ、この昇降アームに設けられた後部ローラの高さを変更することができる。
【００２０】
また、前記誘導溝は、前記昇降誘導板の誘導板支持軸から前記昇降誘導軸までの距離を所定距離に保つ複数の設定部を有し、前記設定部は、前記誘導板支持軸の中心からの距離が一方から順に遠くなるように設定されていてもよい。
【００２１】
このように構成すれば、誘導板支持軸を中心に昇降誘導板を回転させ、この昇降誘導板の誘導溝に設けられた設定部に昇降誘導軸を位置させれば、誘導板支持軸の中心から昇降誘導軸までの距離に応じて刈高さを順に変更することができる。
【００２２】
また、前記設定部は、前記誘導板支持軸の中心から延長した直線に対して直交する直線状溝部で形成されていてもよい。
【００２３】
このように構成すれば、設定部の直線状溝部に昇降誘導軸が位置する状態では、その溝部の直線の範囲内は昇降誘導板を回転させても昇降しない構造にすることができる。しかも、一定の範囲に設けた直線状溝部により、芝刈作業時に芝刈機を押す大小の荷重が作用したとしても、昇降誘導軸に作用する荷重が誘導板支持軸に対して直交する直線状溝部に作用するため、昇降誘導軸が移動せず、刈高さに変化が生じない構造にできる。
【００２４】
また、前記操作部材は、操作ケーブルで構成され、前記誘導板支持軸は、前記昇降誘導板を回転させる前記操作ケーブルを連結する回転部材を有し、前記回転部材は、前記操作ケーブルを前記誘導板支持軸を中心とする同心円で案内するケーブル案内部を有していてもよい。
【００２５】
このように構成すれば、昇降誘導板が常に誘導板支持軸を中心とした円弧で回転するため、刈高さを変更するときの操作ケーブルのストロークを一定にでき、昇降誘導板を回転させる力を常に一定にすることができる。
【００２６】
また、前記回転部材は、前記操作ケーブルを前記操作レバー部の反対方向に付勢するバネ部材を有し、前記操作レバー部は、前記誘導溝の設定部に前記昇降誘導軸が位置するときに前記バネ部材の付勢力を支持するレバー係止部を有していてもよい。
【００２７】
このように構成すれば、バネ部材の付勢力によって操作ケーブルは反操作レバー部方向に付勢されるので、操作レバーを引くときにはバネ部材の付勢力に対向するように人力で移動させ、操作レバーを戻すときにはバネ部材の付勢力によって容易に移動させることができ、容易に刈高さを変更することができる。また、操作レバー部に設けられたレバー係止部にレバーを係止させることにより、誘導溝の設定部に昇降誘導軸が位置する状態でバネ部材の付勢力を支持して所定の刈高さを保つことができる。
【発明の効果】
【００２８】
本発明によれば、芝生の刈高さをハンドルに設けた操作レバー部で調整することが可能となる。従って、芝刈作業中にハンドル部分で刈高さを変更してスムーズな芝刈作業を行うことが可能となる。
【図面の簡単な説明】
【００２９】
【図１】図１は本発明の一実施形態に係る手動式芝刈機を示す全体斜視図である。
【図２】図２は図１に示す手動式芝刈機の主要部を示す側面図である。
【図３】図３は図２に示す手動式芝刈機の操作レバー部の平面図である。
【図４】図４は図２に示す昇降誘導板の側面図である。
【図５】図５(a)〜(c)は図２に示す手動式芝刈機の刈高さ調整の流れを示す側面図である。
【図６】図６は従来から使用されている一般的な手動式の芝刈機の一例を示す全体斜視図である。
【図７】図７は図５に示す芝刈機の主要構成と、刈高さ調整の例を示す側面視の図面であり、(a) は刈高さを高くした状態の断面図、(b) は刈高さを低くした状態の断面図である。
【発明を実施するための形態】
【００３０】
以下、本発明の一実施形態を図面に基づいて説明する。この明細書及び特許請求の範囲の書類中における前後左右方向の概念は、図１に示す手動式芝刈機１を操作する状態における前後左右方向の概念と一致するものとする。
【００３１】
図１に示すように、手動式芝刈機１には、芝刈機本体２の両側部に、タイヤ３を有する車輪４が設けられている。車輪４は、芝刈機本体２に回転可能な状態で支持されている。芝刈機本体２には、横方向に回転軸５が配置されており、この回転軸５に固定された回転刃６が一体的に回転するように設けられている。この回転刃６はリール式で構成されており、所定の方向にねじられた複数の刃材７が回転軸５に設けられた複数の固定板８の周囲に固定されている。また、芝刈機本体２には、前部に集草器９が設けられ、後側には上方に延びるハンドル１０が設けられている。
【００３２】
さらに、芝刈機本体２の後部には、後方に向けて昇降アーム１１が設けられており、この昇降アーム１１の後部に後部ローラ１２が設けられている。後部ローラ１２は、芝刈機本体２の後部に設けられた刈高さ調整機構２０によって昇降アーム１１を揺動させることにより高さを変更することができるようになっている。この後部ローラ１２の高さを変更することにより、芝生の刈高さを変更できるようになっている。
【００３３】
そして、上記刈高さ調整機構２０は、上記ハンドル１０に設けられた操作レバー部４０によって高さ調整が可能なように構成されている。
【００３４】
次に、図２に基づいて、上記高さ調整機構２０などを詳細に説明する。なお、図では手前の車輪４を外した状態で説明する。
【００３５】
図示するように、上記回転軸５は、両端部が車輪４の内部に位置し、車輪４の内部に設けられたインターナルギヤ１６と噛合するピニオンギヤ１７によって回転させられるようになっている。車輪４が回転することにより、インターナルギヤ１６がピニオンギヤ１７を回転させ、このピニオンギヤ１７によって回転軸５と一体的に回転刃６が回転させられる。この回転刃６は、芝刈機本体２に設けられた固定刃１３との間で芝生を刈取る。
【００３６】
また、芝刈機本体２の後部に設けられた昇降アーム１１は、芝刈機本体２に設けられたアーム支持軸１４を中心に後部が上下方向に揺動するようになっている。昇降アーム１１の後端に設けられた上記後部ローラ１２は、昇降アーム１１に設けられたローラ軸１５によって回転自在に支持されている。
【００３７】
そして、この昇降アーム１１が設けられた部分に、上記刈高さ調整機構２０が設けられている。刈高さ調整機構２０は、昇降アーム１１を揺動させることにより、後部に設けられた後部ローラ１２の高さを変更して、上記固定刃１３と回転刃６とによる芝生の刈高さＨ（図２）を変更することができるようになっている。この昇降アーム１１には、長さ方向の上部中間位置に昇降誘導軸２１が設けられている。
【００３８】
一方、上記芝刈機本体２には、誘導板支持軸２２が軸支されており、この誘導板支持軸２２に昇降誘導板２３が設けられている。この昇降誘導板２３は、誘導板支持軸２２に固定されており一体的に回転するようになっている。昇降誘導板２３には、誘導溝２４が設けられており、この誘導溝２４に上記昇降誘導軸２１が挿入されて係合している。従って、誘導板支持軸２２を中心に昇降誘導板２３を回転させることで、誘導溝２４に沿って昇降誘導軸２１が移動する。誘導溝２４は、上記誘導板支持軸２２と昇降誘導軸２１との距離を段階的に変化させるように形成されており、昇降誘導軸２１が誘導溝２４に沿って移動することで、誘導板支持軸２２と昇降誘導軸２１との距離が変化する。この誘導板支持軸２２と昇降誘導軸２１との距離を変化させる詳細は、後述する。
【００３９】
また、上記昇降誘導板２３を回転させる誘導板支持軸２２の一端（図示する手前側）には、回転部材たるケーブルホルダ２５が固定されており、ケーブルホルダ２５で誘導板支持軸２２を一体的に回転させることができるようになっている。このケーブルホルダ２５を回転させることで、誘導板支持軸２２と一体的に昇降誘導板２３を回転させることができる。ケーブルホルダ２５は、側面視が略Ｌ字状に形成されており、誘導板支持軸２２に固定された部分に対し、他方の部分は誘導板支持軸２２を中心とする円弧状部分２６に形成されている。
【００４０】
このケーブルホルダ２５の円弧状部分２６に、操作部材たる操作ケーブル２７が設けられている。円弧状部分２６に沿うように操作ケーブル２７を設けることで、操作ケーブル２７が引かれてケーブルホルダ２５の角度が変化したとしても、刈高さが変化しないようにしている。また、操作ケーブル２７によってケーブルホルダ２５を回転させる距離をほぼ同じにすることで、操作ケーブル２７を操作する力の変化も抑えている。なお、この実施形態では、操作部材として操作ケーブル２７を用いているが、操作ロッドのような構成としてもよい。
【００４１】
図２において、手前から、上記ケーブルホルダ２５、芝刈機本体２、昇降アーム１１、昇降誘導板２３が設けられている。
【００４２】
また、誘導板支持軸２２には、昇降誘導板２３が操作ケーブル２７をハンドル側から芝刈機本体側に向けて引く方向に付勢する付勢バネ２８が設けられている。この付勢バネ２８は、ねじりコイルバネであり、操作ケーブル２７が常に芝刈機本体側に向けて引かれた状態としている。
【００４３】
上記操作ケーブル２７は、芝刈機本体２に設けられたブラケット２９と、ハンドル１０に設けられた操作レバー部４０との間がケーブルアウター３０で保護されている。
【００４４】
操作レバー部４０には、レバー支持軸４１によって支持された操作レバー４２が設けられている。操作レバー４２は、所定の角度で前後方向に移動させることができるようになっている。
【００４５】
図３にも示すように、上記操作レバー部４０には、操作レバー４２を移動させる部分の側面にレバー係止部４３が設けられている。このレバー係止部４３により、操作レバー４２を所定の角度で係止できるようになっている。このレバー係止部４３で係止する力としては、上記操作ケーブル２７を芝刈機本体側に引く付勢バネ２８のバネ力である。この実施形態では、上記昇降誘導板２３で後部ローラ１２の高さを４段階で調整できるようにしているので、昇降誘導板２３を回転させる操作レバー４２も４箇所で係止できるようになっている。この４箇所は、例えば、刈高さＨを、１０ｍｍ、１５ｍｍ、２０ｍｍ、２５ｍｍと変化させる位置で係止するようになっている。
【００４６】
図４に示すように、上記昇降誘導板２３に設けられた誘導溝２４は、誘導板支持軸２２の中心からの距離が一方から順に遠くなる円弧状傾斜溝Ｂ１〜Ｂ３と直線状溝部Ａ１〜Ａ４が設けられている。この実施形態では、４段階に刈高さを変更することができるようになっており、４つの直線状溝部Ａ１〜Ａ４が設けられている。
【００４７】
このように直線状溝部Ａ１〜Ａ４を設けることにより、芝生の刈高さＨを各段階で保持する構造としている。つまり、昇降誘導板２３に設けた誘導溝２４（一定の斜面）の昇降動作から刈高さＨを保待する範囲には、誘導板支持軸２２の中心から延長した直線３１に対して直交する平行な溝の直線状溝部Ａ１〜Ａ４を設けているので、芝刈作業時に芝刈機１を押す大小の荷重が作用したとしても、直線状溝部Ａ１，Ａ４に位置させた昇降誘導軸２１に作用する荷重は誘導板支持軸２２に対して直交する直線状溝部Ａ１〜Ａ４によって受けることになり、昇降誘導軸２１は移動せず、刈高さＨに変化が生じない構造としている。このように、昇降誘導板２３に直線状溝部Ａ１〜Ａ４を設けることにより、この直線状溝部Ａ１〜Ａ４の範囲内は芝刈時の負荷が作用しても昇降誘導板２３を回転させる方向の力が作用しない構造としている。
【００４８】
具体的には、例えば、芝刈時に回転刃６と固定刃１３との間に芝生ｍを噛み込んだ場合、ハンドル１０に握り部分には２００Ｎ程度の荷重がかかり、上記昇降誘導板２３には８０Ｎ〜９０Ｎの反力が作用する。しかし、上記したように、一定の範囲に誘導板支持軸２２の中心から延長した直線３１に対して直交する直線状溝部Ａ１〜Ａ４を設けたことにより、芝刈時に押す荷重によって操作ケーブル２７にかかる荷重の変化がなく刈高さＨの変化が生じない構造としている。
【００４９】
また、この実施形態では、両端部の直線状溝部Ａ１，Ａ４は直線状溝部が短く、それらの間に設けられた直線状溝部Ａ２，Ａ３は直線状溝部が長く形成されている。直線状溝部Ａ２，Ａ３では、昇降誘導軸２１が両方向に移動するので、両端部よりも長くしている。このように所定長さの直線状溝部Ａ１〜Ａ４を設けることにより、その直線の範囲は誘導板支持軸２２を回転させても刈高さＨが変化しないので、例えば、操作ケーブル２７の調整誤差などによっても刈高さＨの変化が生じない。また、この直線状溝部Ａ１〜Ａ４により、芝刈時の押し荷重の大小により操作ケーブル２７とケーブルアウター３０の遊びや歪みによって刈高さＨが変化することも防止できる。
【００５０】
さらに、誘導溝２４の直線状溝部Ａ１〜Ａ４の間は、これらの直線状溝部Ａ１〜Ａ４をスムーズにつなぐように円弧状傾斜溝Ｂ１〜Ｂ３で形成されている。円弧状傾斜溝Ｂ１〜Ｂ３は、円弧状傾斜溝Ｂ１が急な角度で、円弧状傾斜溝Ｂ２，Ｂ３と順に緩い角度となっている。これは、昇降アーム１１の角度が大きくなることで、後部ローラ１２の上昇量が増えるので、刈り高さＨの増加分が等しくなるようにするためである。
【００５１】
このように、上記手動式芝刈機１によれば、各刈高さＨにおいて、芝刈時の押し荷重の大小に対応して刈高さＨを保持するために、例えば、目的の刈高さに操作ケーブル２７の引き・戻し操作を行った後に、刈高さを各段階で保持するために穴や切欠きに棒やピンなどを挿入して固定する複雑な構造を要することなく、ハンドル１０に設けた操作レバー部４０の操作のみでも、芝刈時に手動式芝刈機１を押す荷重の大小による操作ケーブル２７にかかる荷重の変化を抑え、芝生ｍの刈高さＨに変化が生じない構造としている。
【００５２】
次に、図５(a) 〜(c) に基づいて、上記刈高さ調整機構２０による刈高さＨの調整例を説明する。この図でも、手前の車輪４を外した状態で説明する。図５(a) に示す状態は、昇降誘導板２３で後部ローラ１２を最も低くした状態である。この状態では、昇降誘導板２３に設けられた誘導溝２４の最も低い直線状溝部Ａ１（図４）に昇降誘導軸２１が位置している。この時の刈高さは、Ｈ１である。
【００５３】
この状態からハンドル１０に設けられた操作レバー４２をレバー係止部４３から外して手前に傾けて操作ケーブル２７を引く。
【００５４】
図５(b) に示すように、上記したように操作レバー４２を手前に向けて傾けることで操作ケーブル２７が引かれ、ケーブルホルダ２５と一体的に昇降誘導板２３が回転させられる。この昇降誘導板２３の回転により、誘導溝２４に係合している昇降誘導軸２１の誘導板支持軸２２からの距離が変化する。これにより、この昇降誘導軸２１が上部に係止された昇降アーム１１がアーム支持軸１４を中心に揺動し、後部ローラ１２を下向きに移動させられる。
【００５５】
そして、図５(c) に示すように、操作レバー４２が操作レバー部４０に設けられた２つ目のレバー係止部４３の側部に位置させると（図２）、操作ケーブル２７によって回転させられた昇降誘導板２３の誘導溝２４に係合している昇降誘導軸２１が、誘導溝２４に形成された２つめの直線状溝部Ａ２（図４）に位置する。この状態で、操作レバー４２をレバー係止部４３に向けて倒して係止する（図３）。これにより、昇降誘導軸２１が昇降誘導板２３に設けられた誘導溝２４の２つ目の直線状溝部Ａ２に位置した状態で固定された状態となり、後部ローラ１２が２番目の刈高さＨ２に変更された状態となる。
【００５６】
また、この状態では、誘導板支持軸２２の中心から延長した直線に対して直交する直線状溝部Ａ２に昇降誘導軸２１が位置するため、芝刈作業時に芝刈機１を押す大小の荷重が作用したとしても、昇降誘導軸２１に作用する荷重が誘導板支持軸２２に対して直交する直線状溝部Ａ２に作用するので、荷重が作用したとしても昇降誘導軸２１を前後方向に移動させる力が作用せず、刈高さＨ２を安定して保持することができる。
【００５７】
このように、上記刈り高さ調整機構２０によれば、後部ローラ１２の高さを変更することにより芝刈機本体２に固定された固定刃１３の高さを変更し、この固定刃１３と回転刃６との間での刈高さＨ２を、ハンドル１０の操作レバー部４０で容易に変更することができる。
【００５８】
以上のように、上記手動式芝刈機１に備えられた刈高さ調整機構２０よれば、ハンドル１０に設けられた操作レバー部４０の操作レバー４２を前後方向に向けて傾けることで刈高さＨを容易に変更することができるので、例えば、長く伸びた芝生や密集している芝生を刈る場合に、刈高さＨを高くした状態で芝生上部を刈った後、段階的に刈高さＨを低くして刈る作業が容易に可能となる。
【００５９】
そのため、上記したような長く伸びた芝生や密集している芝生を刈るときも、回転刃６と固定刃１３との間に刈った芝生を噛み込ませることもなく、労力を低減したスムーズな芝刈作業を行うことが可能となる。
【００６０】
しかも、作業者がハンドル１０を上方から押して使用するときの負荷が作用したとしても、昇降誘導板２３に設けた誘導溝２４の直線状溝部Ａ１〜Ａ４（図４）によって昇降誘導軸２１が前後方向に移動しないようにしているので、刈高さ位置を安定して保持することができる。
【００６１】
なお、上記実施形態では、刈高さＨを４段階で調整できる例を説明したが、刈高さＨの調整は３段階でも５段階でもよく、上記実施形態に限定されるものではない。
【００６２】
また、上記実施形態では、前受方式の集草器９を設けた手動式芝刈機１を例に説明したが、後受方式の場合も同様であり、手動式芝刈機１の構成は上記実施形態に限定されるものではない。
【００６３】
さらに、上述した実施形態は一例を示しており、本発明の要旨を損なわない範囲での種々の変更は可能であり、本発明は上述した実施形態に限定されるものではない。
【産業上の利用可能性】
【００６４】
本発明に係る手動式芝刈機は、生育が一様でなく長く伸びているものや密集している芝生を刈ることが多い場所において利用できる。
【符号の説明】
【００６５】
１  手動式芝刈機
２  芝刈機本体
３  タイヤ
４  車輪
５  回転軸
６  回転刃
７  刃材
８  固定板
９  集草器
１０  ハンドル
１１  昇降アーム
１２  後部ローラ
１３  固定刃
１４  アーム支持軸
１５  ローラ軸
１６  インターナルギヤ
１７  ピニオンギヤ
２０  刈高さ調整機構
２１  昇降誘導軸
２２  誘導板支持軸
２３  昇降誘導板
２４  誘導溝
２５  ケーブルホルダ（回転部材）
２６  円弧状部分
２７  操作ケーブル（操作部材）
２８  付勢バネ
２９  ブラケット
３１  直線
４０  操作レバー部
４１  レバー支持軸
４２  操作レバー
４３  レバー係止部
Ａ１〜Ａ４  直線状溝部
Ｂ１〜Ｂ３  円弧状傾斜溝
ｍ  芝生
Ｈ  刈高さ
【図１】
2014128218.tif 000003
【図２】
2014128218.tif 000004
【図３】
2014128218.tif 000005
【図４】
2014128218.tif 000006
【図５】
2014128218.tif 000007
【図６】
2014128218.tif 000008
【図７】
2014128218.tif 000009